(57)【要約】  本発明は、より充実したＡｏＣ情報をユーザに便利に提供するようにＡｏＣ付加サービスを実行するための方法及びシステムを提供する。この方法は、ユーザ端末により開始されるサービス要求を受信するアプリケーションサーバを含む。アプリケーションサーバは、要求を受信した後に、課金システムとの課金セッションを確立する。課金システムは、ＡｏＣ情報をアプリケーションサーバに、課金セッションのためのチャネルを通して送信し、アプリケーションサーバは、ＡｏＣ情報をユーザ端末に送信する。本発明のこのシステムは、ユーザ端末、アプリケーションサーバ、及び、課金システムを含む。ユーザ端末は、アプリケーションサーバにサービス要求を送信するように適合されている。アプリケーションサーバは、要求を受信した後に課金システムとの課金セッションを確立するように適合されている。課金システムは、ＡｏＣ情報をアプリケーションサーバに、課金セッションのためのチャネルを通して送信する。本発明は、ＡｏＣ情報の送信を単純化し、ＡｏＣ情報に含まれるコンテンツを充実させることができる。
2009545898.tif 000002
【特許請求の範囲】
【請求項１】
料金通知（ＡｏＣ）付加サービスを実行するための方法であって、
ユーザ端末により開始されたサービス要求をアプリケーションサーバにより受信して、前記アプリケーションサーバにより課金システムとの課金セッションを確立し、
前記課金システムにより、ＡｏＣ情報を取得して、前記ＡｏＣ情報を前記アプリケーションサーバに、前記課金セッションのためのチャネルを通して送信し、
前記アプリケーションサーバにより前記ＡｏＣ情報を前記ユーザ端末に送信する、
ことを含む方法。
【請求項２】
前記課金セッションを確立することの後に、さらに、
前記アプリケーションサーバにより、前記課金システムに、前記端末又はプロパティサービスからの要求に従うＡｏＣ情報コンテンツカスタマイズ要求及び／又はトリガ状態カスタマイズ要求を送信し、
前記課金システムにより、前記ＡｏＣ情報コンテンツカスタマイズ要求及び／又はトリガ状態カスタマイズ要求を照合し、前記照合が成功した場合、前記ＡｏＣ情報コンテンツカスタマイズ要求及び／又は前記トリガ状態カスタマイズ要求に従う前記ＡｏＣ情報を取得する、
ことを含む、請求項１に記載のＡｏＣ付加サービスを実行するための方法。
【請求項３】
前記アプリケーションサーバにより受信することの前に、前記サービス要求が前記ユーザ端末により開始され、さらに、
前記ユーザ端末により、前記課金システムに対する前記ＡｏＣ情報及び／又はトリガ状態のカスタマイズを、予め設定されたサービス構成プラットフォームを介して設定し、
前記課金システムにより、前記ＡｏＣ情報及び／又は前記トリガ状態を照合し、前記照合が成功した場合、前記ＡｏＣ情報及び／又は前記トリガ状態を保存し、
前記課金セッションを確立することの後に、さらに、
前記課金システムにより、前記コンテンツカスタマイズ要求及び／又はトリガ状態に従う前記ＡｏＣ情報を取得する、
ことを含む、請求項１に記載のＡｏＣ付加サービスを実行するための方法。
【請求項４】
前記照合することが、
前記課金システムにより、前記アプリケーションサーバにより送信された前記ＡｏＣ情報コンテンツカスタマイズ要求及び／又は前記トリガ状態カスタマイズ要求を前記課金システムにより受信し、
前記課金システムにより、前記ＡｏＣ情報コンテンツカスタマイズ要求及び／又は前記トリガ状態カスタマイズ要求を、トリガ状態及びユーザ自体の情報のための予め設定された内部ストラテジに従って照合する、
ことを含む、請求項２又は３に記載のＡｏＣ付加サービスを実行するための方法。
【請求項５】
前記ＡｏＣ情報を前記アプリケーションサーバに、前記課金セッションのためのチャネルを通して前記課金システムにより送信し、
前記課金システムによりＡｏＣ情報問い合わせ要求を前記アプリケーションサーバから受信して、該要求及び前記受信したＡｏＣ情報コンテンツカスタマイズ要求に従う前記ＡｏＣ情報を発生し、
前記課金システムにより前記アプリケーションサーバに、前記ＡｏＣ情報を含む問い合わせ応答情報を返信する、
ことを含む、請求項２又は３に記載のＡｏＣ付加サービスを実行するための方法。
【請求項６】
前記ＡｏＣ情報を前記アプリケーションサーバに、前記課金セッションのためのチャネルを通して前記課金システムにより送信することが、
前記課金システムが、前記設定されたトリガ状態が満たされていると検知したとき、前記課金システムにより、前記受信したＡｏＣ情報コンテンツカスタマイズ要求に従う前記ＡｏＣ情報を発生し、
前記課金システムにより、前記ＡｏＣ情報を含むアップデート要求を前記アプリケーションサーバに、課金インタフェースを介して送信する、
ことを含む、請求項２又は３に記載のＡｏＣ付加サービスを実行するための方法。
【請求項７】
前記ＡｏＣ情報を前記アプリケーションサーバに、前記課金セッションのためのチャネルを通して前記課金システムにより送信することが、
前記課金システムが、前記設定されたトリガ状態が満たされていると検知したとき、リマインダを前記アプリケーションサーバに、前記課金システムにより送信し、
前記課金システムが前記ＡｏＣ情報問い合わせ要求を前記アプリケーションサーバから受信したとき、前記課金システムにより、前記トリガ状態を満たすＡｏＣ情報を発生し、前記発生したＡｏＣ情報を前記アプリケーションサーバに問い合わせ応答を介して送信する、
ことを含む、請求項２又は３に記載のＡｏＣ付加サービスを実行するための方法。
【請求項８】
前記ＡｏＣ情報を前記ユーザ端末に、前記アプリケーションサーバにより送信することが、
前記受信したＡｏＣ情報を前記アプリケーションサーバにより処理し、
前記ＡｏＣ情報を前記ユーザ端末に、前記ＡｏＣ情報をユーザ端末により表示するために送信する、
ことを含む、請求項１に記載のＡｏＣ付加サービスを実行するための方法。
【請求項９】
前記処理することが、
サービスに関するコメントを追加すること、及び／又は、
前記ユーザ端末と相互作用するために、前記ＡｏＣ情報を、前記アプリケーションサーバのために要求されるフォーマットに変換すること、
を含む、請求項８に記載のＡｏＣ付加サービスを実行するための方法。
【請求項１０】
ＡｏＣ付加サービスを実行するための方法であって、
課金システムにより、アプリケーションサーバとの課金セッションを確立し、
ＡｏＣ情報を前記課金システムにより取得し、前記ＡｏＣ情報を前記アプリケーションサーバに、前記課金セッションのためのチャネルを通して送信し、前記アプリケーションサーバが前記ＡｏＣ情報をユーザ端末に送信する、
ことを含む方法。
【請求項１１】
前記課金セッションを確立することの後に、さらに、
前記課金システムにより、ＡｏＣ情報コンテンツカスタマイズ要求及び／又はトリガ状態カスタマイズ要求を、前記アプリケーションサーバから受信し、照合し、
前記照合が成功した場合、前記課金システムにより、前記ＡｏＣ情報コンテンツカスタマイズ要求及び／又は前記トリガ状態カスタマイズ要求に従う前記ＡｏＣ情報を取得する、
ことを含む、請求項１０に記載のＡｏＣ付加サービスを実行するための方法。
【請求項１２】
前記課金セッションを確立することの前に、
前記ユーザ端末により、前記課金システムに対するＡｏＣ情報及び／又はトリガ状態のカスタマイズを、予め設定されたサービス設定プラットフォームを介して設定し、
前記課金システムにより、前記ユーザ端末により設定された前記ＡｏＣ情報及び／又は前記トリガ状態を照合し、前記照合が成功した場合、前記ＡｏＣ情報及び／又は前記トリガ状態を保存する、
ことを含み、
前記課金セッションを確立することの後に、
前記課金システムにより、前記コンテンツカスタマイズ要求及び／又はトリガ状態に従う前記ＡｏＣ情報を取得する、
ことを含む、請求項１０に記載のＡｏＣ付加サービスを実行するための方法。
【請求項１３】
前記ＡｏＣ情報を前記アプリケーションサーバに、前記課金セッションのためのチャネルを通して前記課金システムにより送信することが、
前記課金システムにより、ＡｏＣ情報問い合わせ要求を前記アプリケーションサーバから受信して、該要求及び前記受信したＡｏＣ情報コンテンツカスタマイズ要求に従う前記ＡｏＣ情報を発生し、
前記課金システムにより、前記アプリケーションサーバに、前記ＡｏＣ情報を含む問い合わせ要求を返信する、
ことを含むか、又は、
前記ＡｏＣ情報を前記アプリケーションサーバに、前記課金セッションのためのチャネルを通して、前記課金システムにより送信することが、
前記課金システムが前記トリガ状態が満たされていると検知したとき、前記受信したＡｏＣ情報コンテンツカスタマイズ要求に従う前記ＡｏＣ情報を発生し、
前記課金システムにより、前記ＡｏＣ情報を含むアップデート要求を前記アプリケーションサーバに、課金インタフェースを介して送信する、
ことを含むか、又は、
前記ＡｏＣ情報を前記アプリケーションサーバに、前記課金システムにより、前記課金セッションのためのチャネルを通して送信することが、
前記課金システムが、前記設定されたトリガ状態が満たされていると検知したとき、前記課金システムにより、リマインダを前記アプリケーションサーバに送信し、
前記課金システムにより、前記トリガ状態を満たす前記ＡｏＣ情報を発生し、ＡｏＣ情報問い合わせ要求を前記アプリケーションサーバから受信したとき、前記発生したＡｏＣ情報をアプリケーションサーバに問い合わせ応答を通して送信する、
ことを含む、請求項１１又は１２に記載のＡｏＣ付加サービスを実行するための方法。
【請求項１４】
アプリケーションサーバとの課金セッションのために用いられるチャネルを確立し、前記課金セッションを実行するように適合されたセッションユニットと、
ＡｏＣ情報を取得し、前記ＡｏＣ情報を、前記課金セッションのための前記チャネルを通して送信するように適合されたＡｏＣ情報処理ユニットと、
を含む課金システム。
【請求項１５】
さらに、照合ユニットを含み、前記照合ユニットが、ＡｏＣ情報コンテンツカスタマイズ要求及び／又はトリガ状態カスタマイズ要求を受信及び照合し、前記照合が成功した場合、前記課金セッションを確立した後に前記ＡｏＣ情報処理ユニットに通知するように適合され、及び、前記ＡｏＣ情報及び／又はトリガ状態を受信及び照合し、前記照合が成功した場合、前記課金セッションを確立する前に、前記ＡｏＣ情報及び／又は前記トリガ状態を保存するように適合されており、
前記ＡｏＣ情報処理ユニットが、前記ＡｏＣ情報コンテンツカスタマイズ要求及び／又は前記トリガ状態カスタマイズ要求に従う前記ＡｏＣ情報を取得するように適合されている、
請求項１４に記載の課金システム。
【請求項１６】
ユーザ端末、アプリケーションサーバ、及び、請求項１２に記載の課金システムを含み、
前記ユーザ端末が、サービス要求を前記アプリケーションサーバに送信するように適合されており、
前記アプリケーションサーバが、前記要求を受信した後に前記課金システムとの前記課金セッションを確立するように適合されており、
前記課金システムが、前記ＡｏＣ情報を前記アプリケーションサーバに、前記課金セッションのためのチャネルを通して送信するように適合されている、
ＡｏＣ付加サービスを実行するためのシステム。
【請求項１７】
前記照合ユニットが、前記課金セッションを確立した後に、ＡｏＣ情報コンテンツカスタマイズ要求及び／又はトリガ状態カスタマイズ要求を受信及び照合し、前記照合が成功した後に、前記ＡｏＣ情報コンテンツカスタマイズ要求及び／又は前記トリガ状態カスタマイズ要求に従う前記ＡｏＣ情報を取得し、前記ＡｏＣ情報及び／又はトリガ状態を受信及び照合し、前記照合が成功した場合、前記課金セッションを確立する前に、前記ＡｏＣ情報及び／又は前記トリガ状態を保存するように構成されている、請求項１６に記載のＡｏＣ付加サービスを実行するためのシステム。
【請求項１８】
課金システムとの前記課金セッションのためのチャネルを確立するように適合されたセッションユニットを含み、前記セッションユニットが、前記課金セッションを実行し、受信したＡｏＣ情報をユーザ端末に、前記課金セッションのための前記チャネルを通して送信する、
アプリケーションサーバ。
【請求項１９】
前記アプリケーションサーバが、さらに、
ＡｏＣ情報コンテンツカスタマイズ要求及び／又はトリガ状態カスタマイズ要求を、前記課金システムに、前記端末又はプロパティサービスからの要求に従って送信するためのカスタマイズユニットを含む請求項１８に記載のアプリケーションサーバ。
【発明の詳細な説明】
【技術分野】
【０００１】
本出願は、２００６年８月１日に出願された「課金通知付加サービスのためのシステム及び方法」("A Method and System for an Advice of Charging Supplementary Service")と題された、中華人民共和国特許出願第２００６１０１０４２１５．３号の優先権を主張する。
本発明は、概して、通信の分野に関し、詳細には、課金通知付加サービスのためのシステム及び装置に関する。
【０００２】
通信技術の急速な発達に従い、様々な通信機構及びサービスが、より広く用いられている。非常に多くの電気通信サービスがユーザに提供されるため、ユーザは、使用料金を有効に管理できるように通信料金を適時に知る必要がある。一方、違法者達は、知識不足のユーザが非常に高額の料金で通話又はデータサービス利用を行うように策謀し、これが、不注意にも非常に高額の通信料金費用を生むことになる。ユーザが、通信サービスの料金を、そのサービスを利用する前に通知され、そして、その通信サービスの使用料を、サービスの配送中又は終了時に通知されることが可能であれば、不必要な出費を大幅に減じることができる。また、通信事業会社も、通信サービス課金情報をユーザにタイムリーに提供することを望んでおり、これは一方ではユーザの経験を向上させることができ、また一方では、このような付加サービスによるさらなる収益増大を生むことができる。ユーザも、改良されたサービス料金の透明性により、サービスを、より自由に享受するであろう。
【０００３】
通信システムにおいて、ユーザに、課金情報（例えば、通話料金、継続時間、及び、各通話の費用）が、「課金通知」(Advice of Charging)（ＡｏＣ）と称される付加サービスにより提供され得る。また、ユーザは、料金が変化したときに料金情報を得ることができる。課金情報は、一般に、通話開始時に、若しくは通話中に、又は、通話終了後の所定の時点で、音声プロンプトにより、又は、ユーザ装置のスクリーンに情報を短いメッセージで表示することによりユーザに提供される。それ以外に、このサービスはユーザに、所定期間内（例えば、１ヵ月、１週間又は１日）に発生した全料金を提示することもできる。ユーザの加入者カードの残高も提示されることができる。
【０００４】
ＡｏＣ付加サービスは、ユーザがサービスを利用する前にサービス課金情報について知ることを可能にし、これは、ユーザが使用料金を認識しないことにより生じる不要な高額の通信出費を防止する。サービスの利用後、ユーザは、発生したサービス費用を適時に通知されることができ、従って、自分の支出勘定を有効に管理する。
【０００５】
ＡｏＣサービスは、音声通話においては長期間にわたり既に存在しているが、データサービスにおいては十分にサポートされていない。
【０００６】
図１は、第３世代移動体通信システム標準化プロジェクト(3rd Generation Partnership Project)（３ＧＰＰ）により定義された、オンライン課金構造のブロック線図を示す。
【０００７】
課金トリガ機能(Charging Trigger Function)（ＣＴＦ）は、電気通信ネットワークにおける様々なネットワーク要素上で実行される論理機能セクションである。ＣＴＦは、課金関連情報を、コアネットワーク要素、サービス要素、及びサブシステムから収集し、課金情報をオンライン課金システムに、課金インタフェース（例えば、Ｒｏ，ＣＡＰ）を介して送信する。オンライン課金システムは、課金要求メッセージを受信し、それを処理（例えば、評価、マージンリザベーション）し、そして、処理された結果を、ＣＴＦに、課金応答メッセージを介して返信する。ＣＴＦは、課金応答に従ってサービス利用を管理する。
【０００８】
ＡｏＣ付加サービスを実行するための従来技術の方法は、ＡｏＣ機能を実現するために、インテリジェント・ネットワーク・アプリケーション・パート(Intelligent Network Application Part)（ＩＮＡＰ）を利用する。この構造が、図２に示されている。ユーザ端末がインテリジェントネットワークサービスを利用するとき、サービス・コントロール・ポイント（ＳＣＰ）が、ＡｏＣ情報を、ＩＮＡＰプロトコルを介してモバイルスイッチングセンターに送信し、次いで、モバイルスイッチングセンターがＡｏＣ情報をユーザ端末に送信する。
【０００９】
上記の解決法は、ＡｏＣ情報の送信を、ＳＳ７を介してインテリジェントボイスコールで実現する。
【００１０】
しかし、上記の方法は、第１に、本質的にボイスコール（音声通話）に基づいており、Ａｏｃをユーザに提示する必要があるかどうかが課金システムによって判定される。従って、ユーザは、ＡｏＣ情報を受け入れるかどうかの設定も選択もできない。これは、フレキシブルなパケットスイッチ（ＰＳ）ドメインサービスの要求を満たすことができない。
【００１１】
第２に、主に音声通話のために用いられるインテリジェントネットワークソリューションにおいて、課金システムは、固定フォーマットＡｏＣ（例えば、通話継続時間を含むテキストメッセージ）を発生する。現在利用可能なフレキシブルなデータサービスの利用において、課金システムは複数のアプリケーションサーバを供給することができ、従って、固定フォーマットＡｏＣは、ＰＳドメインのＡｏＣ要求をもはや満たすことができない。アプリケーションサーバはＡｏＣフォーマットをカスタマイズすることができず、また、ユーザも、ＡｏＣフォーマットを、ユーザの要求に適合させるようにカスタマイズすることができず、また、トリガ状態をカスタマイズすることもできない。
【００１２】
上記の従来技術の解決法における問題に対処するために、以下に、ＡｏＣ付加サービスを実行するための別の従来技術の方法を論じる。
【００１３】
図３に示されているように、この解決法において、課金システムは、サービスが終了した後、又はサービス中に、ユーザにサービス課金情報を、ショートメッセージ又は音声プロンプトにより通知する。
【００１４】
課金システムは、ＡｏＣ情報をユーザに、ショートメッセージ又は音声プロンプトにより直接送信することができる。また、ＡｏＣ情報は、アプリケーションサーバ（このアプリケーションサーバは、サービスを提供するアプリケーションサーバである）にも、他のインタフェース（非課金インタフェース）を介して送信されることができる。しかし、この課金提示方法は、課金システム又は他のオペレータ管理システムに記憶されたユーザの加入に関するサービスプロモーションも、ユーザの残高も即時に提示することができないという点において比較的単純である。
【００１５】
さらに、この解決法において、アプリケーションサーバ及びユーザは、ＡｏＣ情報を課金システムから、インタフェースを介して得る。これは、第３者通信機構を必要とし、ＡｏＣ情報の取得及び送信をより複雑にする。
【発明の概要】
【発明が解決しようとする課題】
【００１６】
本発明の目的は、課金通知(Advice of Charging)付加サービスを実行するための方法、システム及び装置を、課金セッションのための確立されたチャネルを用いることにより、より充実したＡｏＣ情報を送信するように提供することにある。
【課題を解決するための手段】
【００１７】
本発明にて開示される実施形態の技術的解決法は、以下の通りである。
【００１８】
料金通知（ＡｏＣ）付加サービスを実行するための方法が、
【００１９】
ユーザ端末により開始されたサービス要求をアプリケーションサーバにより受信して、課金システムとの課金セッションを確立し、
【００２０】
前記課金システムによりＡｏＣ情報を得て、前記ＡｏＣ情報を前記アプリケーションサーバに、前記課金セッションのためのチャネルを通して送信し、前記アプリケーションサーバにより前記ＡｏＣ情報を前記ユーザ端末に送信する、ことを含む。
【００２１】
ＡｏＣ付加サービスを実行するための方法が、
【００２２】
課金システムにより、アプリケーションサーバとの課金セッションを確立し、
【００２３】
前記課金システムによりＡｏＣ情報を取得し、前記ＡｏＣ情報を前記アプリケーションサーバに、前記課金セッションのためのチャネルを通して送信し、前記アプリケーションサーバにより前記ＡｏＣ情報を前記ユーザ端末に送信する、ことを含む。
【００２４】
課金システムが、
【００２５】
アプリケーションサーバとの課金セッションのために用いられるチャネルを確立し、前記課金セッションを実行するように適合されたセッションユニットと、
【００２６】
前記ＡｏＣ情報を取得するように適合され、前記ＡｏＣ情報を、前記課金セッションのための前記チャネルを通して送信するＡｏＣ情報処理ユニットと、を含む。
【００２７】
ＡｏＣ付加サービスを実行するように適合されたシステムが、ユーザ端末、アプリケーションサーバ、及び、上記の課金システムを含み、前記ユーザ端末が、サービス要求を前記アプリケーションサーバに送信するように適合されており、前記アプリケーションサーバが、前記要求を受信した後に前記課金システムとの課金セッションを確立するように適合されており、前記課金システムが、前記ＡｏＣ情報を前記アプリケーションサーバに、前記課金セッションのためのチャネルを通して送信するように適合されている。
【００２８】
アプリケーションサーバが、
【００２９】
セッションユニットを含み、該セッションユニットは、課金システムとの前記課金セッションのためのチャネルを確立し、前記課金セッションを実行し、受信したＡｏＣ情報をユーザ端末に、前記課金セッションのための前記チャネルを通して送信するように適合されている。
【発明の効果】
【００３０】
第１に、本発明の課金システムは、ＡｏＣ情報をＡＳ（アプリケーションサーバ）に送信するために、課金セッションのための確立されたチャネルを用いる。従って、本発明の課金システムは、第３者インタフェースを必要としない、これは、ＡｏＣ情報の送信手順を簡単にし、システムの動作効率を向上させる。
【００３１】
第２に、本発明のＡｏＣ情報は動的ＡｏＣ情報である。課金システムは、管理システム及びサービスシステムに、ＡｏＣ情報のための問い合わせをし、こうして得られたＡｏＣ情報をＡＳに提供する。従って、本発明のＡｏＣ情報は、より多くのコンテンツを含む。
【００３２】
第３に、本発明は、送信されるべきＡｏＣ情報のコンテンツと、ＡｏＣ情報を送信するためのトリガ状態とをユーザがカスタマイズすることを可能にする。これは、本発明の方法の適用の融通性を増大させる。
【００３３】
第４に、本発明において、課金システムからＡＳを通して返信されるＡｏＣ情報のコンテンツをアクティブにカスタマイズするための複数の方法がユーザにより用いられることができ、これが、本発明の技術的解決法を、より個人的なものにする。
【００３４】
最後に、本発明において、課金システムにより送信されたＡｏＣ情報を受信した後、サービス関連コメントの追加などを含む複数のプロセスが、ＡＳによりＡｏＣ情報に対して行われ得る。こうして、ユーザ端末により受信されるＡｏＣ情報のコンテンツがより充実される。
【図面の簡単な説明】
【００３５】
【図１】３ＧＰＰにより定義されているオンライン課金ロジックの概略図である。
【図２】第１の従来技術の解決法に従うシステムの概略図である。
【図３】第２の従来技術の解決法に従う論理の概略図である。
【図４】本発明に従う論理の回路図である。
【図５】本発明の第１の実施形態のフローチャートである。
【図６】本発明の第２の実施形態のフローチャートである。
【図７】本発明に従うカスタマイズ手順の信号伝達の流れである。
【図８】本発明の第３の実施形態のフローチャートである。
【図９】本発明に従う問い合わせ手順の信号伝達の流れである。
【図１０】本発明の第４の実施形態のフローチャートである。
【図１１】本発明に従うアクティブなアップデート手順の信号伝達の流れである。
【図１１ａ】ＯＣＳがアプリケーションサーバに通知し、アプリケーションサーバがアクティブな問い合わせ手順を開始する、図１１とは別の手順の信号伝達の流れである。
【図１２】本発明の第５の実施形態の信号伝達の流れである。
【図１３】本発明の第６の実施形態の信号伝達の流れである。
【図１４】本発明の第７の実施形態の信号伝達の流れである。
【図１４ａ】本発明の第８の実施形態の信号伝達の流れである。
【発明を実施するための形態】
【００３６】
本発明は、概して、通信の分野に関し、詳細には、より豊富なＡｏＣ情報をユーザに便利に提供するＡｏＣ付加サービスを実行するための方法及びシステムを提供する。
【００３７】
ＡｏＣは、サービスに関連する課金情報をユーザに提供するためのサービスである。通信システムにおいて、ＡｏＣ付加サービスは、ユーザに課金情報（例えば、通話料金、継続時間及び各通話の費用）を提供するために用いられ得る。また、ユーザには、料金が変化したときに料金変更情報が提供され得る。課金情報は、一般的に、ユーザに、通話開始時に、若しくは通話中に、又は、通話終了後の所定の時点で提示され、また、課金情報は、ユーザに、音声プロンプトにより、又は、情報をユーザ装置のスクリーンに短いメッセージで表示することにより提示される。それ以外に、このサービスはユーザに、所定期間内（例えば、１ヵ月、１週間又は１日）に発生した全料金を提示することもでき、また、残高をユーザに提示することもできる。
【００３８】
ＡｏＣ情報は、ＡｏＣ情報のコンテンツに従って、以下の２つのタイプに分類され得る。
【表１】
2009545898.tif 000003
【００３９】
図４を参照されたい。本発明の本質は、課金システムが、ＡｏＣメッセージをアプリケーションサーバ（ＡＳ）に、確立された課金チャネルに従って送信することである。ＡＳは、ＰＯＣサーバ、ＤＣＤサーバ、ＩＭサーバなどを含む。
【００４０】
課金システムとＡＳとのセッションが確立された後、セッションのためのチャネルが、課金に関する何らかの情報を送信するために用いられる。本発明は、この特徴を、課金に関する情報を送信するときにＡｏＣメッセージを送信するために利用する。図３と比較すると、課金システムとＡＳとの間でのＡｏＣメッセージの送信は、第３者インタフェースの補助を用いずに、課金インタフェースを介して直接行われる。
【００４１】
本発明において、課金システムとＡＳとの間で送信されるＡｏＣメッセージは、以下のフォーマットをサポートする。
【表２】
2009545898.tif 000004
【００４２】
図５を参照すると、本発明の第１の実施形態は以下のステップを含む。
【００４３】
５０１：サービス要求を受信する。
【００４４】
ステップ５０１において、ＡＳは、ユーザにより開始される（例えば、通話する、又は、インターネットに接続するなどにより）サービス要求を受信する。
【００４５】
５０２：課金セッションを確立する。
【００４６】
ステップ５０２において、ＡＳは、サービス要求を受信した後に、課金システムとの課金セッションを確立する。
【００４７】
５０３：ＡｏＣ情報を送信する。
【００４８】
ステップ５０３において、課金システムは、ＡｏＣ情報をＡＳに、課金セッションのためのチャネルを通して送信する。ＡｏＣ情報を受信すると、ＡＳは、このＡｏＣ情報をユーザ端末に転送し、ユーザ端末はＡｏＣ情報を表示する。
【００４９】
図６を参照すると、本発明の第２の実施形態は以下のステップを含む。
【００５０】
６０１：サービス要求を受信する。
【００５１】
ステップ６０１において、ＡＳは、ユーザにより開始される（例えば、通話する、又は、インターネットに接続するなどより）サービス要求を受信する。
【００５２】
６０２：課金セッションを確立する。
【００５３】
ステップ６０２において、ＡＳは、サービス要求を受信した後に、課金システムとの課金セッションを確立する。
【００５４】
６０３：カスタマイズ要求を開始する。
【００５５】
ステップ６０３において、ユーザ端末は、最初にカスタマイズ要求をＡＳに対して行い、次いで、ＡＳは、このカスタマイズ要求を課金システムに転送する。
【００５６】
カスタマイズ要求は、ＡｏＣメッセージのコンテンツをカスタマイズするための要求である。この要求は、また、トリガ状態をカスタマイズするための要求であることもできる。これらの両方のタイプのカスタマイズ要求が、課金システムから、ＡＳを介して、又は、第３者のサービスプラットフォームを介して命令され得る。両方のカスタマイズ要求が同時に行われることが可能であり（すなわち、１つのカスタマイズメッセージに２つのカスタマイズ要求が含まれる）、又は、これらのカスタマイズ要求が２つのステップで行われてもよい。
【００５７】
カスタマイズ要求は以下の２つの方法で行われ得る。
【００５８】
１．ユーザは課金システムと、サービス設定プラットフォーム（例えば、インターネット、サービスルームにおけるシステム）を介して、サービス利用前にＡｏＣメッセージをカスタマイズするための状態を設定するために相互作用する（interact）。
【００５９】
２．サービスの利用中に、ユーザが、ＡｏＣ情報カスタマイズ要求及び／又はトリガ状態をＡＳに送信し、ＡＳは、ＡｏＣ情報カスタマイズ要求及び／又はトリガ状態を課金システムに、課金セッションのためのチャンネルを通して送信する。
【００６０】
カスタマイズ要求のフォーマットを表３に示す。
【表３】
2009545898.tif 000005
【００６１】
上記の表は、カスタマイズ要求フォーマットの一例に過ぎず、この表は、実際の適用時の実際のサービスの利用に従って変更され得る。
【００６２】
６０４：カスタマイズ要求を照合する。
【００６３】
課金システムは、ＡＳから受信したカスタマイズ要求及び／又はトリガ状態を照合する。課金システムは、カスタマイズ要求及びトリガ状態のための内部ストラテジを含んでおり、受信したカスタマイズ要求及びトリガ状態を、トリガ状態のためのストラテジ、及び、ユーザ自体に関する情報に従って照合する。
【００６４】
ユーザ情報が、カスタマイズ要求及びトリガ状態のための内部ストラテジに合致していない場合、課金システムは、照合が失敗したと判定する。
【００６５】
ユーザにより開始されたトリガ状態及びカスタマイズ要求が、カスタマイズ要求及びトリガ状態のための内部ストラテジに合致していない場合、課金システムは、デフォルトの内部トリガ状態及びコンテンツフォーマットに従うＡｏＣ情報をユーザに提供することができる。
【００６６】
６０５：応答をフィードバックする。
【００６７】
課金システムは、カスタマイズ要求に対する照合結果を、ＡＳに、又はユーザ端末に、照合結果に従って直接送信する。課金システムが照合結果をＡＳに送信した場合、ＡＳは、受信したこの照合結果をユーザ端末に転送することを要求される。照合結果は、ユーザに、ユーザにより要求されたトリガ状態及びコンテンツフォーマットに従うＡｏＣ情報を提供することであるか、又は、ユーザに、課金システムにおけるデフォルトトリガ状態に従うＡｏＣ情報を提供することであるか、もしくは、ユーザにＡｏＣ情報を提供しないことである。
【００６８】
６０６：ＡｏＣ情報を送信する。
【００６９】
照合結果が、ユーザにＡｏＣ情報を、ユーザにより要求されたトリガ状態に従って又は課金システムのデフォルトトリガ状態に従って提供することである場合、課金システムはＡｏＣ情報をＡＳに提供し、ＡＳはＡｏＣ情報をユーザに転送する。このステップが、ステップ６０５より前、又はステップ６０５より後に実行されることができることは明らかである。課金システムは、ＡｏＣ情報を、ユーザからのカスタマイズ要求を照合した後に送信することができ、すなわち、その照合結果を、ユーザ又はＡＳに、ＡｏＣ情報を送信する前に送信することができる。
【００７０】
ＡｏＣ情報をカスタマイズするための手順がこの実施形態に追加されている。
【００７１】
図７を参照して、カスタマイズ手順のための信号伝達の流れを論じる。これは、以下のステップを含む。
【００７２】
７０１：サービス利用中、ユーザ端末が、ＡｏＣ情報カスタマイズ要求をＡＳに送信する。
【００７３】
７０２：ＡＳは、ＡｏＣ情報カスタマイズ要求を課金システムに送信する。
【００７４】
７０３：課金システムは、ＡｏＣ情報カスタマイズ要求及び／又はトリガ状態を照合する。
【００７５】
７０４：課金システムは、ＡｏＣ情報カスタマイズ要求への応答をＡＳに返信する。
【００７６】
７０５：ＡＳは、ＡｏＣ情報カスタマイズ要求への応答をユーザ端末に送信する。
【００７７】
ステップ７０１及びステップ７０５は、オプショナル（任意に行われ得るステップ）である。
【００７８】
図８を参照すると、本発明の第３の実施形態は以下のステップを含む。
【００７９】
８０１：サービス要求を受信する。
【００８０】
ステップ８０１にて、ＡＳは、ユーザにより開始されたサービス要求を受信する。
【００８１】
ステップ８０１にて、ＡＳは、ＰｏＣサーバ、若しくはＤＣＤサーバ、又はＩＭサーバである。
【００８２】
８０２：課金セッションを確立する。
【００８３】
ステップ８０２にて、ＡＳは、サービス要求を受信した後に課金システムとの課金セッションを確立する。
【００８４】
８０３：カスタマイズ要求を開始する。
【００８５】
ステップ８０３にて、ユーザ端末は最初にカスタマイズ要求をＡＳに対して行い、次いで、ＡＳは、この要求を課金システムに転送する。
【００８６】
８０４：要求を照合する。
【００８７】
ステップ８０４にて、課金システムはカスタマイズ要求を照合する。
【００８８】
８０５：応答をフィードバックする。
【００８９】
ステップ８０５にて、課金システムは、カスタマイズが成功したかどうかを含むカスタマイズ応答をＡＳにフィードバックする。ＡＳは、受信した応答をユーザ端末に転送する。
【００９０】
８０６：問い合わせ要求を送信する。
【００９１】
ステップ８０６にて、ＡＳは、ユーザ及び現在利用されているサービスに関する情報を含むＡｏＣ情報問い合わせ要求を課金システムに送信する。
【００９２】
８０７：ＡｏＣ情報を発生する。
【００９３】
ステップ８０７にて、課金システムは、受信したＡｏＣ情報の要求及びコンテンツに従ってＡｏＣ情報を発生する。
【００９４】
８０８：応答情報を返信する。
【００９５】
ステップ８０８にて、応答情報はＡｏＣ情報を含む。
【００９６】
この実施形態は、ＡｏＣ情報を送信するシナリオを示す。すなわち、ＡＳは自発的に問い合わせを行い、課金システムは、この問い合わせに対して、ＡｏＣ情報を含むフィードバックメッセージによりフィードバックを行う。
【００９７】
この実施形態において、ステップ８０３，８０４及び８０５はオプショナルである。このサービスを利用する前に、ユーザは、課金システムと、サービス設定プラットフォーム（インターネット、サービスルームにおけるシステムなど）を介して、ＡｏＣ情報をカスタマイズするための状況を設定するように相互作用することができる。
【００９８】
問い合わせ要求のための信号伝達の流れが図９に示されており、以下のステップを含む。
【００９９】
９０１：ユーザ端末がＡｏＣ情報問い合わせ要求をＡＳに送信する。
【０１００】
９０２：ＡＳがＡｏＣ情報問い合わせ要求を課金システムに送信する。
【０１０１】
９０３：課金システムが、ＡｏＣ要求の内容に従う新しいＡｏＣ情報を発生する。
【０１０２】
９０４：課金システムが、ＡｏＣ情報を含む応答をＡＳに返信する。
【０１０３】
９０５：ＡＳは、現在利用されているサービスに関連する情報をＡｏＣ情報に追加し、且つ／又は、ユーザ端末と相互作用するために、ＡｏＣを、ＡＳにより要求されるフォーマットに変換する。上記の関連する情報とは、例えば、ユーザがＩＭ（インスタントメッセージング）サービスを利用しているときに、ＡｏＣ情報と共にユーザに送信される情報（例えば、サービス利用継続時間、友人の人数など）であり得る。
【０１０４】
９０６：ＡＳは、ＡｏＣ情報をユーザ端末に、問い合わせ要求応答を用いることにより、サービス相互チャネルを通して送信する。
【０１０５】
９０７：ユーザ端末は、更新されたＡｏＣ情報をユーザに表示する。
【０１０６】
ステップ９０７はオプショナルである。
【０１０７】
図１０を参照すると、本発明の第４の実施態様が以下のステップを含む。
【０１０８】
ステップ１００１〜ステップ１００５は、本発明の第３の実施態様におけるステップ８０１〜ステップ８０５と同一のステップであり、詳細には説明しない。
【０１０９】
１００６：トリガ状態が満たされていると判定する。
【０１１０】
ステップ１００６にて、課金システムは、現在の状況が、トリガ状態カスタマイズ要求におけるトリガ状態を満たしていると判定する。
【０１１１】
トリガ状態が、ユーザによりカスタマイズされたトリガ状態である場合、トリガ状態が満たされるとき、課金システムはＡｏＣ情報をＡＳに送信する。トリガ状態とは、限定はしないが、サービス時間、サービス量、課金システムにおける所定範囲を超えるユーザ勘定残高の変化、サービス料金情報の変化などを含む。
【０１１２】
１００７：ＡｏＣ情報を発生する。
【０１１３】
ステップ１００７にて、課金システムは、カスタマイズ要求に従うＡｏＣ情報を発生する。
【０１１４】
１００８：ＡｏＣ情報のアップデート要求を送信する。
【０１１５】
ステップ１００８にて、課金システムは、ＡｏＣ情報のために発生したアップデート要求を、ＡＳに、課金インタフェースを介して送信する。
【０１１６】
１００９：アップデート応答をフィードバックし、ＡｏＣ情報を送信する。
【０１１７】
ステップ１００９にて、ＡＳは、ＡｏＣ情報応答を課金システムに返信し、受信したＡｏＣ情報をユーザ端末に送信する。
【０１１８】
この実施形態は、ＡｏＣ情報を送信する別の状況を示す。この実施形態において、課金システムは、トリガ状態が満たされていると判定したときにアップデート要求をＡＳに自発的に送信し、ＡｏＣ情報はアップデート要求に含まれて送信される。
【０１１９】
図１１に、アップデート要求のための信号伝達の流れが示されており、以下のステップを含む。
【０１２０】
１１０１：課金システムは、ＡｏＣリマインダカスタマイズ情報におけるトリガ状態が満たされていることを検知し、新しいＡｏＣ情報を発生する。
【０１２１】
１１０２：課金システムは、ＡｏＣ情報を含むＡｏＣアップデート要求を、課金インタフェースを介してＡＳに送信する。
【０１２２】
ステップ１１０２にて、課金インタフェースは、３ＧＰＰ Ｒｏ/Ｒｆインタフェース、ＯＭＡ ＣＨ１／ＣＨ２インタフェース、又は、３ＧＰＰ ＣＡＭＥＬプロトコルであり得る。
【０１２３】
１１０３：ＡＳは、ＡｏＣアップデート応答を課金システムに返信する。
【０１２４】
１１０４：ＡＳは、アプリケーションに関する情報をＡｏＣ情報に追加し、且つ／又は、上記のプロセスは、ＡｏＣ情報を、ユーザ端末と相互作用するための、ＡＳに要求されるフォーマットに変換することであり得る。その後、ＡＳは、ＡｏＣ情報を含むＣＣＳ課金メッセージにおけるセッションＩＤに従ってサービスセッションを発見し、次いで、ユーザ端末のアドレスの位置を特定する。
【０１２５】
１１０５：ＡＳは、ＡｏＣ情報をユーザ端末に、サービス相互作用チャネルを通して送信する。
【０１２６】
１１０６：ユーザ端末はＡｏＣ情報をユーザに表示する。
【０１２７】
図１１に示した実施形態にて、課金システムが、トリガ状態が満たされていると判定したとき、課金システムは、ＡｏＣ情報を含むアップデート要求をＡＳに自発的に送信し、それによりＡｏＣ情報をＡＳに送信する。他の可能な選択肢は以下の通りである。図１１ａを参照すると、ステップ１１０１’にて、トリガ状態が満たされていると課金システムが判定したとき、課金システムは、ＡｏＣ情報を発生する代わりにステップ１１０２’を実行する。ステップ１１０２’にて、課金システムはリマインダをＡＳに送信する。リマインダに応答した後、ＡＳがステップ１１０４’を実行し、ＡｏＣ問い合わせ要求を課金システムに送信する場合、システムはＡｏＣ情報を再び発生し、発生したＡｏＣ情報を、ステップ１１０５’にて、ＡＳに、問い合わせ要求応答を介して送信する。図１１ａのステップ１１０６’〜ステップ１１０８’は図６の１１０４〜ステップ１１０６と同一であり、これらのステップについてはここでは論じない。
【０１２８】
以下に本発明を、詳細な実施形態を参照しつつ説明する。
【０１２９】
ＡＳが課金システムに、課金インタフェースを介して動的ＡｏＣ情報を問い合わせることを可能にするために、及び、課金システムが、動的ＡｏＣ情報アップデート通知をＡＳに送信することを可能にするために、課金インタフェースプロトコルを拡張することと、ＡＳによる課金システムへのＡｏＣ情報問い合わせ、及び、課金システムからＡＳへのＡｏＣ情報アップデート送信をサポートする新しい課金メッセージタイプを追加することとが必要である。
【０１３０】
以下に、本発明を実行するための方法を、ＡＳとオンライン課金システムとの間のオンライン課金インタフェースプロトコルを拡張する例を参照しつつ説明する。
【０１３１】
３ＧＰＰにより定義されているオンライン課金インタフェースＲｏは、そのベアラプロトコルとしてダイアメータプロトコルを用いる。
【０１３２】
Ａ．カスタマイズ
【０１３３】
クレジット制御要求／クレジット制御応答（ＣＣＲ／ＣＣＡ）は、ＡＳとオンライン課金システムとの間でオンラインクレジット制御及び課金機能を実現するために用いられるメッセージである。ＣＣＲメッセージは、以下のパラメータを有する。
【０１３４】
CC-Request-Type：ＣＣＲのタイプを示す。値EVENT_REQUESTは、ＣＣＲがイベントベースの課金メッセージであることを示す。
【０１３５】
Requested-Action：メッセージを要求するための方法の関数を示す。オンライン課金インタフェースは、イベントベースの４つの課金要求タイプを定義する。これらを表４に示す。
【表４】
2009545898.tif 000006
【０１３６】
ＡＳ及び課金システムが課金インタフェースを介してＡｏＣ情報と相互作用することを可能にするために、この実施形態により、イベントベースの課金タイプに対する拡張が行われ、それにより、AoC_ENABLE及びAoC_ENQUIRY関数がRequested-Actionに加えられる。この説明を以下の表に示す。
【表５】
2009545898.tif 000007
【０１３７】
ＡｏＣ情報をＣＣＲ／ＣＣＡ課金メッセージに含んで送信するために、この実施形態は、ＡｏＣサービス関連[AVP]を拡張し、新しい[AoC-Information]及び[AoC-Application]を定義する。
【数１】
2009545898.tif 000008
【０１３８】
図１２を参照すると、本発明の第５の実施形態の信号伝達の流れが以下のステップを含む。
【０１３９】
１２０１：ユーザ端末がサービス要求をＡＳに送信する。
【０１４０】
１２０２：ＡＳがＣＣＲ課金要求をＯＣＳに送信し（この例においては、課金システムは、オンライン課金システムにより実現される）、課金セッションを確立する。
【０１４１】
１２０３：ＯＣＳがＣＣＡ課金応答をＡＳに返信する。
【０１４２】
１２０４：ＡＳがサービスをユーザ端末に提供する。
【０１４３】
１２０５〜１２０６：中間課金要求（オプショナル）。
【０１４４】
１２０７：ユーザ端末が、ＡｏＣ情報カスタマイズ要求を開始する（このステップはオプショナルであり得る）。
【０１４５】
１２０８：ＡＳは、課金システムに対して、ＡｏＣ通知機能のカスタマイズを、ＵＥ（ユーザ端末）の要求に従って、或いは自発的に開始する。ＡＳは、ＡｏＣ通知をカスタマイズするためにＣＣＲをＯＣＳに送信する。ＣＣＲ内でＡｏＣ情報に関連するＡＶＰパラメータは、以下のように設定される。
【数２】
2009545898.tif 000009
【０１４６】
１２０９：ＯＣＳは、ＡｏＣリマインダカスタマイズ要求を確認する。ＯＣＳは、カスタマイズ情報の有効性を、AoC-Applicationに含まれているパラメータに従って確認する。
【０１４７】
１２１０：ＯＣＳは、ＡＳに、ＡｏＣリマインダ機能を有効にすることの確認を含むＣＣＡを返信する。
【０１４８】
１２１１〜１２１２：中間課金要求（オプショナル）。
【０１４９】
１２１３：サービスが継続される。
【０１５０】
図１３を参照すると、本発明の第６の実施形態の信号伝達の流れが以下のステップを含む。
【０１５１】
１３０１：端末ユーザがサービス要求をＡＳに送信する。
【０１５２】
１３０２：ＡＳがＣＣＲ課金要求をＯＣＳに送信する（この例において、課金システムはオンライン課金システムにより実現される）。
【０１５３】
１３０３：ＯＣＳがＣＣＳ課金応答をＡＳに返信する。
【０１５４】
１３０４：ＡＳがサービスを端末ユーザに提供する。
【０１５５】
１３０５〜１３０６：中間課金要求（オプショナル）。
【０１５６】
１３０７：ユーザ端末がＡｏＣ情報カスタマイズ要求を開始する（オプショナル）。
【０１５７】
１３０８：ＡＳがＣＣＲをＯＣＳに、ＵＥの要求に従って、或いは、ＡＳ自体により判定した結果として送信する。これは、ユーザに最新の課金情報を提示するために必要である。ＣＣＲにおけるＡｏＣ情報に関連するＡＶＰパラメータは、以下のように設定され得る。
【数３】
2009545898.tif 000010
【０１５８】
１３０９：ＯＣＳは、ＡｏＣ要求の内容に従う新しいＡｏＣ情報を発生する。
【０１５９】
ＯＣＳはＡｏＣ情報を演算し、ＡＶＰパラメータを含む新しいＡｏＣ情報(AoC-Information)を形成する。これらのＡＶＰパラメータは、例えば、サービスＩＤ(Service-ID)、ユーザＩＤ(User-ID)、料金、残高、プロモーション、ボーナス、利用されたサービスユニット、時間、量、金額、課金情報、及び、ＡｏＣ情報に含まれるパラメータに従うその他である。
【０１６０】
１３１０：ＯＣＡは、ＡｏＣ情報を含むＣＣＡをＡＳに返信する。ＣＣＡにおける、ＡｏＣ情報に関連するＡＶＰパラメータは以下のように設定される。
【数４】
2009545898.tif 000011
【０１６１】
１３１１：ＡＳは、アプリケーションに関する情報をＡｏＣ情報に追加する。
【０１６２】
１３１２：ＡＳは、ＡｏＣ情報をユーザ端末に、サービス相互作用チャネルを通して送信する。
【０１６３】
１３１３：ユーザ端末は、ＡｏＣ情報をユーザに提示する。
【０１６４】
ＯＣＳが、ユーザの動的課金情報が変化したことを検知した場合、ＯＣＳは、アクティブな動的ＡｏＣ情報リマインダを発信させる。この実施形態は、拡張として、さらに、新しいオンライン課金メッセージを含む。新しいオンライン課金メッセージはAoC-Update-Request/AoC-Update-Answer（ＡＵＲ／ＡＵＡ）であり、これは特に、ＡｏＣ情報のアップデートを課金システムによりＡＳに送信するために用いられる。
【０１６５】
ＡＵＲメッセージは、以下のフォーマットを有する。
【数５】
2009545898.tif 000012
【０１６６】
ＡＵＡは、ＡＳからＯＣＳに送信されたＡＵＲに対する応答メッセージである。Result-Code（リザルトコード）は、ＡＵＲメッセージへのアンサーコードを含む。
【０１６７】
*を有するフィールドは、それらのフィールドが複数回繰り返され得ることを示す。
【０１６８】
図１４を参照すると、本発明の第７の実施形態の信号伝達の流れが以下のステップを含む。
【０１６９】
１４０１：ユーザ端末がサービス要求をＡＳに送信する。
【０１７０】
１４０２：ＡＳがＣＣＲ課金要求をＯＣＳに送信し、課金セッションを確立する。
【０１７１】
１４０３：ＯＣＳがＣＣＳ課金応答をＡＳに返信する。
【０１７２】
１４０４：ＡＳがサービスをユーザ端末に提供する。
【０１７３】
１４０５〜１４０６：中間課金要求（オプショナル）。
【０１７４】
１４０７：ＯＣＳが、既にカスタマイズされているＡｏＣトリガ状態の発生を検知し、新しいＡｏＣ情報を発生する。
【０１７５】
１４０８：ＯＣＳが、ＡｏＣアップデート要求をＡＳに、ＡＵＲを用いることにより、オンライン課金インタフェースを介して送信する。ＡＵＲのＡｏＣ情報は、アップデートされたＡｏＣ情報を含む。
【０１７６】
１４０９：ＡＳがＡＵＡをＯＣＳに返信する。
【０１７７】
１４１０：ＡＳが、アプリケーションに関連する情報をＡｏＣ情報に追加する。
【０１７８】
１４１１：ＡＳは、ＡｏＣ情報をユーザ端末に送信する。
【０１７９】
１４１２：ユーザ端末は、アップデートされたＡｏＣ情報をユーザに提供する。
【０１８０】
課金セッションを確立するプロセスのために、ＣＣＲ要求は、１つの課金セッションを一意的に示すためのセッションＩＤ ＡＶＰ(Session-Id AVP) パラメータを含む。セッションＩＤは、サービスアプリケーションセッションを課金セッションに関連付ける。ＡＳが、ＯＣＳにより送信されたＡｏＣ情報を含む課金ＣＣＡを受信したとき、課金ＣＣＡは、現在サービスを申し込んでいるユーザ端末に、課金メッセージに含まれるセッションＩＤに従って適合される。最終的に、ＡｏＣ情報はユーザ端末に、サービス相互作用チャネルを通して送信される。
【０１８１】
図１４の実施形態において、課金システムは、既にカスタマイズされているＡｏＣトリガ状態が満たされていることを検知したとき、自発的に、ＡｏＣ情報をＡＳに、ＡＵＲメッセージを介して送信する。別の実施形態も可能である。すなわち、課金システムが、既にカスタマイズされているトリガ状態の発生を検知したとき、ＡｏＣ情報を発生する代わりにＡｏＣ変更リマインダをＡＳに送信する。リマインダに応答した後、ＡＳがＡｏＣ問い合わせ要求を課金システムに送信した場合、課金システムはＡｏＣ情報を発生し、発生したＡｏＣ情報をＡＳに、問い合わせ要求応答を介して送信する。この詳細は、図１４ａを参照されたい。
【０１８２】
ステップ１４０１’〜ステップ１４０６’は、図１４の１４０１〜ステップ１４０６と同一であり、これらはここでは論じない。
【０１８３】
１４０７：ＯＣＳは、既にカスタマイズされているトリガ状態の発生を検知する。
【０１８４】
１４０８：ＯＣＳは、ＡｏＣ変更リマインダをＡＳに、ＲＡＲを用いることによりオンライン課金インタフェースを介して送信する。
【０１８５】
１４０９：ＡＳは、ＲＡＲに対する応答ＲＡＡをＯＣＳに返信する。
【０１８６】
１４１０：ＡＳがＣＣＲをＯＳＣに送信する。ＣＣＲにおけるＡｏＣ情報に関連するＡＶＰパラメータは以下のように設定される。
【数６】
2009545898.tif 000013
【０１８７】
１４１１：ＯＣＳは、ＡｏＣ要求の内容に従う新しいＡｏＣ情報を発生する。
【０１８８】
ＯＣＳはＡｏＣ情報を演算し、ＡＶＰパラメータを含む新しいＡｏＣ情報(AoC-Information)を形成する。これらのＡＶＰパラメータは、例えば、サービスＩＤ(Service-ID)、ユーザＩＤ(User-ID)、料金、残高、プロモーション、ボーナス、利用されたサービスユニット、時間、量、金額、課金情報、及び、ＡｏＣ情報に含まれるパラメータに従うその他である。
【０１８９】
１４１２：ＯＣＳは、ＡｏＣ情報を含むＣＣＡをＡＳに返信する。ＣＣＡ内で、ＡｏＣ情報に関連するＡＶＰパラメータは以下のように設定される。
【数７】
2009545898.tif 000014
【０１９０】
ステップ１４１３’〜ステップ１４１５’は、図１４の１４１０〜ステップ１４１２と同一であり、これらはここでは論じない。
【０１９１】
本発明の実施形態は、さらに、課金システムを提供する。この課金システムは、
【０１９２】
アプリケーションサーバとの課金セッションのために用いられるチャネルを確立し、この課金セッションを実行するように適合されたセッションユニットと、
【０１９３】
ＡｏＣ情報を取得して、このＡｏＣ情報を、課金セッションのためのチャネルを通して送信するように適合されているＡｏＣ情報処理ユニットと、を含む。
【０１９４】
このシステムは、さらに、照合ユニットを含み、この照合ユニットは、課金セッションを確立した後に、ＡｏＣ情報コンテンツカスタマイズ要求及び／又はトリガ状態カスタマイズ要求を受信及び照合し、この照合が成功したときにＡｏＣ情報処理ユニットに通知するように適合されている。ＡｏＣ情報処理ユニットは、ＡｏＣ情報コンテンツカスタマイズ要求及び／又はトリガ状態カスタマイズ要求に従うＡｏＣ情報を取得する。
【０１９５】
課金セッションを確立する前にも、照合ユニットは、ＡｏＣ情報及び／又はトリガ状態を受信及び照合し、照合が成功したときに情報を保存する。
【０１９６】
本発明の実施形態は、さらに、ＡｏＣ付加サービスを実行するように適合されたシステムを提供する。このシステムは、ユーザ端末、アプリケーションサーバ、第３者管理システム、及び上記の課金システムを含む。ユーザ端末は、サービス要求をＡＳに送信するように適合されている。ＡＳは、要求を受信した後に課金システムとの課金セッションを確立するように適合されている。課金システムにおける情報取得ユニットが、ＡｏＣ情報により要求されたユーザデータ（例えば、サービス加入情報）を第３者管理システムから取得する。課金システムは、ＡｏＣ情報をＡＳに、課金セッションのためのチャネルを通して送信する。
【０１９７】
ＡＳは、ＡｏＣ情報のコンテンツのカスタマイズを要求するために、課金システムへのカスタマイズ要求を開始し、トリガ状態を送信する。
【０１９８】
ＡＳが課金システムに対して自発的にＡｏＣ情報要求を行う場合、課金システムは、カスタマイズ要求におけるコンテンツフォーマット、及び、ＡＳにより行われている現在の問い合わせ要求に従って、新しいＡｏＣ情報を発生し、この新しいＡｏＣ情報をＡＳに返信する。ＡＳは、ＡｏＣ情報を受信すると、サービスコメントを付加し、又は、フォーマットを、ユーザ端末に転送する前に変換する。
【０１９９】
課金システムにおけるトリガ判定ユニットが、トリガ状態がカスタマイズの条件を満たしていると判定したとき、課金システムは新しいＡｏＣ情報を発生し、アップデート要求をＡＳに送信する。アップデート要求はＡｏＣ情報を含んでいる。ＡＳは、ＡｏＣ情報を受信すると、サービスコメントを追加し、又は、フォーマットを、ユーザ端末に転送する前に変換する。
【０２００】
以上に、本発明により提供されるＡｏＣ付加サービスを実行するための方法及びシステムの詳細な説明を行った。この説明に、本発明の原理及び実施が、詳細な例に関連して詳細に述べられている。上記の実施形態は、本発明の方法及び本質を理解することを補助するために用いられるに過ぎない。一方、当業者は、本発明の実施形態及びその適用を、本発明の概念に従って変更することができる。従って、上記の説明が本発明を限定するものであってはならない。
【図１】
2009545898.tif 000015
【図２】
2009545898.tif 000016
【図３】
2009545898.tif 000017
【図４】
2009545898.tif 000018
【図５】
2009545898.tif 000019
【図６】
2009545898.tif 000020
【図７】
2009545898.tif 000021
【図８】
2009545898.tif 000022
【図９】
2009545898.tif 000023
【図１０】
2009545898.tif 000024
【図１１】
2009545898.tif 000025
【図１１ａ】
2009545898.tif 000026
【図１２】
2009545898.tif 000027
【図１３】
2009545898.tif 000028
【図１４】
2009545898.tif 000029
【図１４ａ】
2009545898.tif 000030
【手続補正書】
【提出日】平成21年3月26日(2009.3.26)
【手続補正１】
【補正対象書類名】明細書
【補正対象項目名】００１９
【補正方法】変更
【補正の内容】
【００１９】
アプリケーションサーバが課金システムとの課金セッションを確立し、
【手続補正２】
【補正対象書類名】明細書
【補正対象項目名】００２２
【補正方法】変更
【補正の内容】
【００２２】
アプリケーションサーバとの課金セッションを確立し、
【手続補正３】
【補正対象書類名】明細書
【補正対象項目名】００２３
【補正方法】変更
【補正の内容】
【００２３】
ＡｏＣ情報を取得し、前記ＡｏＣ情報を前記アプリケーションサーバに、前記課金セッションのためのチャネルを通して送信し、前記アプリケーションサーバにより前記ＡｏＣ情報を前記ユーザ端末に送信する、ことを含む。
【手続補正４】
【補正対象書類名】明細書
【補正対象項目名】００２７
【補正方法】変更
【補正の内容】
【００２７】
ＡｏＣ付加サービスを実行するように適合されたシステムが、上記の課金システムを含み、アプリケーションサーバが、ユーザ端末からサービス要求を受信した後に前記課金システムとの課金セッションを確立するように適合されており、前記課金システムが、前記ＡｏＣ情報を前記アプリケーションサーバに、前記課金セッションのためのチャネルを通して送信するように適合されている。
【手続補正５】
【補正対象書類名】特許請求の範囲
【補正対象項目名】全文
【補正方法】変更
【補正の内容】
【特許請求の範囲】
【請求項１】
料金通知（ＡｏＣ）付加サービスを実行するための方法であって、
アプリケーションサーバにより課金システムとの課金セッションを確立し、
前記課金システムにより、ＡｏＣ情報を取得して、前記ＡｏＣ情報を前記アプリケーションサーバに、前記課金セッションのためのチャネルを通して送信し、
前記アプリケーションサーバにより前記ＡｏＣ情報をユーザ端末に送信する、
ことを含む方法。
【請求項２】
前記課金セッションを確立することの後に、さらに、
前記アプリケーションサーバにより、前記課金システムに、前記端末又はプロパティサービスからの要求に従うＡｏＣ情報コンテンツカスタマイズ要求及び／又はトリガ状態カスタマイズ要求を送信し、
前記課金システムにより、前記ＡｏＣ情報コンテンツカスタマイズ要求及び／又はトリガ状態カスタマイズ要求を照合する、
ことを含む、請求項１に記載のＡｏＣ付加サービスを実行するための方法。
【請求項３】
さらに、
前記ユーザ端末により、前記課金システムに対する前記ＡｏＣ情報及び／又はトリガ状態のカスタマイズを、予め設定されたサービス構成プラットフォームを介して設定し、
前記課金システムにより、前記ＡｏＣ情報及び／又は前記トリガ状態を照合し、前記照合が成功した場合、前記ＡｏＣ情報及び／又は前記トリガ状態を保存する、
ことを含み、
前記課金システムにより、前記ＡｏＣ情報を取得することが、さらに、
前記課金システムにより、前記コンテンツカスタマイズ要求及び／又はトリガ状態に従う前記ＡｏＣ情報を得る、
ことを含む、
請求項１に記載のＡｏＣ付加サービスを実行するための方法。
【請求項４】
前記課金システムにより、前記ＡｏＣ情報コンテンツカスタマイズ要求及び／又は前記トリガ状態カスタマイズ要求を照合することが、
前記課金システムにより、前記アプリケーションサーバにより送信された前記ＡｏＣ情報コンテンツカスタマイズ要求及び／又は前記トリガ状態カスタマイズ要求を前記課金システムにより受信し、
前記課金システムにより、前記ＡｏＣ情報コンテンツカスタマイズ要求及び／又は前記トリガ状態カスタマイズ要求を、トリガ状態及びユーザ自体の情報のための予め設定された内部ストラテジに従って照合する、
ことを含む、請求項２に記載のＡｏＣ付加サービスを実行するための方法。
【請求項５】
前記ＡｏＣ情報を前記アプリケーションサーバに、前記課金セッションのためのチャネルを通して前記課金システムにより送信し、
前記課金システムによりＡｏＣ情報問い合わせ要求を前記アプリケーションサーバから受信して、該要求及び前記受信したＡｏＣ情報コンテンツカスタマイズ要求に従う前記ＡｏＣ情報を発生し、
前記課金システムにより前記アプリケーションサーバに、前記ＡｏＣ情報を含む問い合わせ応答情報を返信する、
ことを含む、請求項２に記載のＡｏＣ付加サービスを実行するための方法。
【請求項６】
前記ＡｏＣ情報を前記アプリケーションサーバに、前記課金セッションのためのチャネルを通して前記課金システムにより送信することが、
前記課金システムが、前記設定されたトリガ状態が満たされていると検知したとき、前記課金システムにより、前記受信したＡｏＣ情報コンテンツカスタマイズ要求に従う前記ＡｏＣ情報を発生し、
前記課金システムにより、前記ＡｏＣ情報を含むアップデート要求を前記アプリケーションサーバに、課金インタフェースを介して送信する、
ことを含む、請求項２に記載のＡｏＣ付加サービスを実行するための方法。
【請求項７】
前記ＡｏＣ情報を前記アプリケーションサーバに、前記課金セッションのためのチャネルを通して前記課金システムにより送信することが、
前記課金システムが、前記設定されたトリガ状態が満たされていると検知したとき、リマインダを前記アプリケーションサーバに、前記課金システムにより送信し、
前記課金システムが前記ＡｏＣ情報問い合わせ要求を前記アプリケーションサーバから受信したとき、前記課金システムにより、前記トリガ状態を満たすＡｏＣ情報を発生し、前記発生したＡｏＣ情報を前記アプリケーションサーバに問い合わせ応答を介して送信する、
ことを含む、請求項２に記載のＡｏＣ付加サービスを実行するための方法。
【請求項８】
前記ＡｏＣ情報を前記ユーザ端末に、前記アプリケーションサーバにより送信することが、
前記受信したＡｏＣ情報を前記アプリケーションサーバにより処理し、
前記ＡｏＣ情報を前記ユーザ端末に、前記ＡｏＣ情報をユーザ端末により表示するために送信する、
ことを含む、請求項１に記載のＡｏＣ付加サービスを実行するための方法。
【請求項９】
前記処理することが、
サービスに関するコメントを追加すること、及び／又は、
前記ユーザ端末と相互作用するために、前記ＡｏＣ情報を、前記アプリケーションサーバのために要求されるフォーマットに変換すること、
を含む、請求項８に記載のＡｏＣ付加サービスを実行するための方法。
【請求項１０】
ＡｏＣ付加サービスを実行するための方法であって、
アプリケーションサーバとの課金セッションを確立し、
ＡｏＣ情報を取得し、前記ＡｏＣ情報を前記アプリケーションサーバに、前記課金セッションのためのチャネルを通して送信し、前記アプリケーションサーバが前記ＡｏＣ情報をユーザ端末に送信する、
ことを含む方法。
【請求項１１】
前記課金セッションを確立することの後に、さらに、
ＡｏＣ情報コンテンツカスタマイズ要求及び／又はトリガ状態カスタマイズ要求を、前記アプリケーションサーバから受信し、照合し、
前記照合が成功した場合、前記ＡｏＣ情報コンテンツカスタマイズ要求及び／又は前記トリガ状態カスタマイズ要求に従う前記ＡｏＣ情報を取得する、
ことを含む、請求項１０に記載のＡｏＣ付加サービスを実行するための方法。
【請求項１２】
前記課金セッションを確立することの前に、
前記ユーザ端末により設定された前記ＡｏＣ情報及び／又は前記トリガ状態を照合し、前記照合が成功した場合、前記ＡｏＣ情報及び／又は前記トリガ状態を保存する、
ことを含み、
課金システムにより前記ＡｏＣ情報を取得することが、
前記コンテンツカスタマイズ要求及び／又はトリガ状態に従う前記ＡｏＣ情報を取得する、
ことを含む、請求項１０に記載のＡｏＣ付加サービスを実行するための方法。
【請求項１３】
前記ＡｏＣ情報を前記アプリケーションサーバに、前記課金セッションのためのチャネルを通して課金システムにより送信することが、
ＡｏＣ情報問い合わせ要求を前記アプリケーションサーバから受信して、該要求及び前記受信したＡｏＣ情報コンテンツカスタマイズ要求に従う前記ＡｏＣ情報を発生し、
前記アプリケーションサーバに、前記ＡｏＣ情報を含む問い合わせ要求を返信する、
ことを含むか、又は、
前記ＡｏＣ情報を前記アプリケーションサーバに、前記課金セッションのためのチャネルを通して、前記課金システムにより送信することが、
前記課金システムが前記トリガ状態が満たされていると検知したとき、前記受信したＡｏＣ情報コンテンツカスタマイズ要求に従う前記ＡｏＣ情報を発生し、
前記ＡｏＣ情報を含むアップデート要求を前記アプリケーションサーバに、課金インタフェースを介して送信する、
ことを含むか、又は、
前記ＡｏＣ情報を前記アプリケーションサーバに、前記課金システムにより、前記課金セッションのためのチャネルを通して送信することが、
前記課金システムが、前記設定されたトリガ状態が満たされていると検知したとき、リマインダを前記アプリケーションサーバに送信し、
前記トリガ状態を満たす前記ＡｏＣ情報を発生し、ＡｏＣ情報問い合わせ要求を前記アプリケーションサーバから受信したとき、前記発生したＡｏＣ情報をアプリケーションサーバに問い合わせ応答を通して送信する、
ことを含む、請求項１１に記載のＡｏＣ付加サービスを実行するための方法。
【請求項１４】
アプリケーションサーバとの課金セッションのために用いられるチャネルを確立し、前記課金セッションを実行するように適合されたセッションユニットと、
ＡｏＣ情報を取得し、前記ＡｏＣ情報を、前記課金セッションのための前記チャネルを通して送信するように適合されたＡｏＣ情報処理ユニットと、
を含む課金システム。
【請求項１５】
さらに、照合ユニットを含み、前記照合ユニットが、ＡｏＣ情報コンテンツカスタマイズ要求及び／又はトリガ状態カスタマイズ要求を受信及び照合し、前記照合が成功した場合、前記課金セッションを確立した後に前記ＡｏＣ情報処理ユニットに通知するように適合され、及び、前記ＡｏＣ情報及び／又はトリガ状態を受信及び照合し、前記照合が成功した場合、前記課金セッションを確立する前に、前記ＡｏＣ情報及び／又は前記トリガ状態を保存するように適合されており、
前記ＡｏＣ情報処理ユニットが、前記ＡｏＣ情報コンテンツカスタマイズ要求及び／又は前記トリガ状態カスタマイズ要求に従う前記ＡｏＣ情報を取得するように適合されている、
請求項１４に記載の課金システム。
【請求項１６】
請求項１４に記載の課金システムを含み、
アプリケーションサーバが、ユーザ端末からサービス要求を受信した後に前記課金システムとの前記課金セッションを確立するように適合されており、
前記課金システムが、前記ＡｏＣ情報を前記アプリケーションサーバに、前記課金セッションのためのチャネルを通して送信するように適合されている、
ＡｏＣ付加サービスを実行するためのシステム。
【請求項１７】
課金システムとの前記課金セッションのためのチャネルを確立するように適合されたセッションユニットを含み、前記セッションユニットが、前記課金セッションを実行し、受信したＡｏＣ情報をユーザ端末に、前記課金セッションのための前記チャネルを通して送信する、
アプリケーションサーバ。
【請求項１８】
さらに、
ＡｏＣ情報コンテンツカスタマイズ要求及び／又はトリガ状態カスタマイズ要求を、前記課金システムに、前記端末又はプロパティサービスからの要求に従って送信するためのカスタマイズユニットを含む請求項１７に記載のアプリケーションサーバ。
【国際調査報告】
2009545898.tif 000031
2009545898.tif 000032
2009545898.tif 000033
2009545898.tif 000034
2009545898.tif 000035